(57)【要約】【課題】  見通し内の無線伝送区間で対向する無線通信装置の回線設計を自動化して、容易に良好な回線品質を得る。【解決手段】  無線通信装置１、２に具備されるＧＰＳ受信機１１、２１は、ＧＰＳ衛星３よりの位置情報（現在位置）を取得する。無線通信装置１と接続されたメンテナンス端末４は、無線通信装置１、２の位置情報を収集し、自動回線設計サーバ６に送信するとともに、自動回線設計サーバ６より受信した計算結果の回線設計情報を回線設定情報に変換して、各種制御のための制御信号とともに、無線通信装置１および２に送出する。自動回線設計サーバ６は、無線通信装置１、２の位置情報を基に、その地域に関する回線設計情報（地形、気象条件等のパラメータ）を検索し、それをパラメータとして回線設計を自動的に行い、計算した結果をメンテナンス端末４に送信する。【選択図】      図１ 
2005278113.tif 000002
【特許請求の範囲】
【請求項１】
見通し内で対向し、ＧＰＳ（Global Positioning System）衛星から位置情報を取得するＧＰＳ受信機を備える無線通信装置と、対向する無線通信装置のいずれかに接続されたメンテナンス端末と、前記メンテナンス端末に接続される自動回線設計サーバと、より構成されることを特徴とする無線通信システム。
【請求項２】
前記メンテナンス端末は、前記対向する無線通信装置のそれぞれが具備する前記ＧＰＳ受信機で取得された前記位置情報を収集し、前記自動回線設計サーバに送出するとともに、前記自動回線設計サーバより入手した回線設計情報を回線設定情報に変換し、前記対向する無線通信装置のそれぞれに対して回線設定の制御を行うことを特徴とする請求項１記載の無線通信システム。
【請求項３】
前記自動回線設計サーバは、前記対向する無線通信装置の置かれた前記位置情報に関する地形、気象情報を含むデータを自己所有または外部のデータベースから検索し、前記対向する無線通信装置が互いに所要の回線品質を満たして通信できるよう、前記位置情報に適した回線設計の計算を行い、計算された結果（回線設計情報）を前記メンテナンス端末に送信することを特徴とする請求項１又は２記載の無線通信システム。
【請求項４】
前記自動回線設計サーバは、インターネットを介して前記メンテナンス端末と接続されていることを特徴とする請求項１、２又は３記載の無線通信システム。
【請求項５】
見通し内の無線伝送区間で対向する無線通信装置が各々自装置の位置を測定し、測定した位置の情報（位置情報）を互いの無線通信装置に送り、位置情報を受け取った無線通信装置が互いの前記位置情報に基づいて、所要の回線品質を満たすよう算出する自動回線設計手段を利用して取得した回線設計情報より求めた回線設定情報に従って回線設定を行うことを特徴とする無線通信システムの回線設定方法。
【請求項６】
前記位置情報は、前記対向する無線通信装置に備わるＧＰＳ受信機がＧＰＳ（Global Positioning System）衛星より取得するものであることを特徴とする請求項５記載の無線通信システムの回線設定方法。
【請求項７】
前記自動回線設計手段は、前記対向する無線通信装置の置かれた前記位置情報に関する地形、気象情報を含むデータを自己所有または外部のデータベースから検索し、前記位置情報に適した回線設計を行うことを特徴とする請求項５記載の無線通信システムの回線設定方法。
【発明の詳細な説明】
【技術分野】
【０００１】
本発明は、無線通信システムに関し、特に無線伝送区間で対向する無線通信装置の回線設計および回線設定を自動化する無線通信システムに関する。
【背景技術】
【０００２】
無線通信装置を設置する場合、所要の回線品質を満たして通信を機能させるために  送受信地点の選定、アンテナ等の無線設備の選定、混信等を考慮した周波数の選定などが必要である。さらに、無線回線設計においては、まず、地形図から送信地点より受信地点を見通した地形の断面図（プロフィール図）を作成する。次に、送受信で使用するアンテナ、ケーブル等を設定し、使用周波数で送信したときの受信点での電界強度または電波の減衰量を計算する。このような作業により、所要のＳ／ＮまたはＣ／Ｎに対する評価が行われる。また、必要な場合は  現地で仮設のアンテナ等を設営して  実際に試験電波を発信し受信電界の測定（電測作業）が行われる。
【０００３】
従来は、上述した回線設計を事前に行い、その後、例えば、アンテナ本体の設置位置における回線品質を判別するために、アンテナ本体にライフルスコープを取り付けて電波強度を測定するような作業が行われていた。即ち、ライフルスコープの視野の、センターエリアの電波強度を測定する電波強度計を設け、測定した電波強度をライフルスコープの視野内に表示する。表示された電波強度に基づいて回線品質を判別し、必要によりアンテナ方位を修正する（例えば、特許文献１参照。）。
【０００４】
したがって、従来の回線設計では、事前に行う回線設計において、設置地域の情報の入手及び回線設計作業に多くの工数と高度な計算技術とが必要とされ、また、設置工事の際には無線アンテナの方向調整や送信出力の設定等を測定器を使用しながら行うため、スキルを持った作業者が求められるという問題がある。
【０００５】
【特許文献１】特開２００２−７７０３６号公報
【発明の開示】
【発明が解決しようとする課題】
【０００６】
上述した従来の無線通信システムの回線設定方法は、設置地域の地形、気象情報の入手及び回線設計作業に多くの工数と高度な計算技術が必要とされるという欠点がある。また、設置工事の際には無線アンテナの方向調整や送信出力の設定等を測定器を使用しながら行うため、スキルを持った作業者が求められるという欠点がある。
【０００７】
本発明の目的は、このような従来の欠点を除去するため、ＧＰＳ（Global  Positioning  System）受信機により取得する位置情報と、位置情報を基に地形、気象条件等を加味した回線設計を自動的に行うことにより、無線通信装置の回線設定の容易化を図る回線設定方法を提供することにある。
【課題を解決するための手段】
【０００８】
本発明の無線通信システムは、見通し内で対向し、ＧＰＳ（Global Positioning System）衛星から位置情報を取得するＧＰＳ受信機を備える無線通信装置と、対向する無線通信装置のいずれかに接続されたメンテナンス端末と、前記メンテナンス端末に接続される自動回線設計サーバと、より構成されることを特徴としている。
【０００９】
また、前記メンテナンス端末は、前記対向する無線通信装置のそれぞれが具備する前記ＧＰＳ受信機で取得された前記位置情報を収集し、前記自動回線設計サーバに送出するとともに、前記自動回線設計サーバより入手した回線設計情報を回線設定情報に変換し、前記対向する無線通信装置のそれぞれに対して回線設定の制御を行うことを特徴としている。
【００１０】
また、前記自動回線設計サーバは、前記対向する無線通信装置の置かれた前記位置情報に関する地形、気象情報を含むデータを自己所有または外部のデータベースから検索し、前記対向する無線通信装置が互いに所要の回線品質を満たして通信できるよう、前記位置情報に適した回線設計の計算を行い、計算された結果（回線設計情報）を前記メンテナンス端末に送信することを特徴としている。
【００１１】
また、前記自動回線設計サーバは、インターネットを介して前記メンテナンス端末と接続されていることを特徴としている。
【００１２】
また、無線通信システムの回線設定方法は、見通し内の無線伝送区間で対向する無線通信装置が各々自装置の位置を測定し、測定した位置の情報（位置情報）を互いの無線通信装置に送り、位置情報を受け取った無線通信装置が互いの前記位置情報に基づいて、所要の回線品質を満たすよう算出する自動回線設計手段を利用して取得した回線設計情報より求めた回線設定情報に従って回線設定を行うことを特徴としている。
【００１３】
また、前記位置情報は、前記対向する無線通信装置に備わるＧＰＳ受信機がＧＰＳ（Global Positioning System）衛星より取得するものであることを特徴としている。
【００１４】
また、前記自動回線設計手段は、前記対向する無線通信装置の置かれた前記位置情報に関する地形、気象情報を含むデータを自己所有または外部のデータベースから検索し、前記位置情報に適した回線設計を行うことを特徴としている。
【発明の効果】
【００１５】
本発明の無線通信システム及びその回線設定方法によれば、対向する無線通信装置の置かれた位置情報に関する地形、気象情報を含むデータを基に、位置情報に適した回線設計を自動的に計算することにより、高度な計算や作業者のスキルを不要とすることができるという効果がある。
【発明を実施するための最良の形態】
【００１６】
次に、本発明を実施するための最良の形態について図面を参照して説明する。図１は、本発明の無線通信システムの一つの実施の形態を示すブロック図である。
【００１７】
図１に示す本実施の形態は、無線通信装置１、２と、ＧＰＳ（Global Positioning System）受信機１１、２１と、メンテナンス端末４と、インターネット５と、自動回線設計サーバ６とを備えて構成されている。
【００１８】
次に、本発明を実施するための最良の形態の動作について図面を参照して説明する。
【００１９】
図１によると、無線通信装置１、２は、見通し内で対向して設置されており、互いに送受信を行う。また、メンテナンス端末４より回線設定情報を受信（ダウンロード）して、回線設定情報に基づいた装置の各種設定を行なう。
【００２０】
ＧＰＳ受信機１１、２１は、無線通信装置１、２内に備えられ、地球周回軌道上のＧＰＳ衛星３と通信を行い、各無線通信装置１、２の位置情報（現在位置）を取得する。
【００２１】
メンテナンス端末４は、ここでは無線通信装置１と接続されており、ＧＰＳ受信機１１および対向して設置された無線通信装置２のＧＰＳ受信機２１により取得された位置情報を収集し、インターネットを経由して自動回線設計サーバ６に送信する。また、自動回線設計サーバ６より受信した計算結果の回線設計情報を回線設定情報に変換して、各種制御のための制御信号とともに、無線通信装置１および２に送出（ダウンロード）する。また、メンテナンス端末４は、ダウンロードとともに送出する制御信号により、それぞれの無線通信装置１、２に対して、所要の回線品質を満たすよう各種設定の制御を行う。
【００２２】
自動回線設計サーバ６は、受信した無線通信装置１、２の位置情報を基に、無線通信装置が設置されている地域に関する回線設計情報（地形、気象条件等のパラメータ）を自身のデータベースから検索する。また、データベースから検索したデータをパラメータとして回線設計を自動的に行い、計算した結果の回線設計情報をインターネット５を経由してメンテナンス端末４に送信する。
【００２３】
以上の構成により、本実施の形態によれば、無線通信装置１、２のそれぞれに備わるＧＰＳ受信機１１、２１がＧＰＳ衛星３より位置情報を取得する。次に、自動回線設計サーバ６がデータベースから検索した位置情報に関する地形、気象情報を基にして、所要の回線品質を満たすよう回線設計を行う。そして、メンテナンス端末４がこの回線設計情報を無線通信装置１、２のそれぞれに適用することにより、位置情報（現在地）に適した装置設定を自動的に行うことができる。
【００２４】
次に、図１に示す本実施の形態の動作の流れについて説明する。
【００２５】
まず、ＧＰＳ受信機１１、２１は、地球周回軌道上のＧＰＳ衛星３と通信を行い、各無線通信装置１、２の位置情報（現在位置）を取得する。
【００２６】
メンテナンス端末４は、ＧＰＳ受信機１１、２１で取得された位置情報（現在位置）を各無線通信装置１、２を介して入手する。また、取得した各無線通信装置１、２の位置情報（現在位置）をインターネット５を経由して自動回線設計サーバ６に送信する。
【００２７】
自動回線設計サーバ６は、その位置情報から無線通信装置１、２が設置されている地域に関する地形および気象情報をデータベースより取り込み、降雨による減衰性フェージング、所要回線品質を考慮した回線設計（シミュレーション）を行う。この所要回線品質としては、希望波電力対雑音電力比ＣＮＲ、希望波電力対干渉波電力比ＣＩＲなどが挙げられる。また、自動回線設計サーバ６は、計算結果の回線設計情報をインターネット５を経由してメンテナンス端末４に送信する。
【００２８】
メンテナンス端末４は、自動回線設計サーバ６から受信した回線設計情報を回線設定情報に変換し、また、回線設定に関する各種制御信号を回線設定情報と合わせて無線通信装置１、２に送信する。
【００２９】
無線通信装置１、２は、メンテナンス端末４から送信された各種制御信号に基づいて、回線設定情報に係わる装置設定を行う。
【００３０】
以上の動作により、ＧＰＳ受信機１１、２１により位置情報を自動的に取得でき、また現在位置における最適な回線品質の設定が可能となるため、事前に設置場所の確認等に要する工数および回線設計結果から最適な装置設定値を算出する工数の削減が可能である。
【００３１】
また、装置設定が自動的に行われることにより、高いスキルを持った工事作業者がいなくても容易に作業をすることができる。
【図面の簡単な説明】
【００３２】
【図１】本発明の無線通信システムの一つの実施の形態を示すブロック図である。
【符号の説明】
【００３３】
１、２    無線通信装置
３    ＧＰＳ衛星
４    メンテナンス端末
５    インターネット
６    自動回線設計サーバ
１１、２１    ＧＰＳ受信機
【図１】
2005278113.tif 000003